(57)【特許請求の範囲】
【請求項１】
額縁を構成する縦枠材及び横枠材が共に内部中空で両側の突当端面を持ち、該互いの突当端面同士を密に接続する場合に用いられ、略ブロック状の第１挿入腕及び第２挿入腕を一体に有しており、前記縦・横枠材の一方に第１挿入腕を、他方に第２挿入腕を前記対応する突当端面からそれぞれ内部に嵌入して縦・横枠材同士を連結するコーナー継ぎ手において、
前記各挿入腕は、略ブロック状の厚さ内を幅方向に貫通した欠肉部と、前記欠肉部側へ一段下がった段差板部に設けられた弾性係合部とを有し、
前記対応する突当端面から内部に嵌入されることにより、前記弾性係合部が前記縦枠材又は横枠材に設けられた対応する係止穴と係合し、その係合状態で前記係止穴を形成している板部分の厚さ内にほぼ収まることを特徴とする額縁用コーナー継ぎ手。
【請求項２】
前記両挿入腕の境界部に設けられて前記縦・横枠材の各突当端面のほぼ全面に当接する薄肉鍔部を有し、前記各突当端面が前記薄肉鍔部を両側から挟持した状態で接続される請求項１に記載の額縁用コーナー継ぎ手。
【請求項３】
前記係止穴は略矩形の開口であり、前記弾性係合部は前記矩形の開口と対応した略コ形スリットにて前記段差板部に区画形成されている請求項１に記載の額縁用コーナー継ぎ手。
【請求項４】
前記弾性係合部は、前記略コ形のスリットのうち、両側の水平スリット部に沿い、中間の垂直スリット部側へ次第に突出量を増している傾斜部と、該傾斜部の先端と前記垂直スリット部との間に一段低くした受け部とを有し、前記傾斜部先端と受け部との間の端面を前記係止穴の対応する穴縁に係合する請求項３に記載の額縁用コーナー継ぎ手。
【請求項５】
前記額縁は、装飾パネルを縁取りするものであり、ドア等の建具に一体的に組み込まれる請求項１から４の何れかに記載の額縁用コーナー継ぎ手。
【発明の詳細な説明】
【０００１】
【発明の属する技術分野】
本発明は、額縁を構成する縦枠材と横枠材とを連結するために用いられる額縁用コーナー継ぎ手に関する。額縁としては、例えば、建材であるガラス等の装飾パネルを縁取るものであり、また、最終製品であるドア等の建具の主枠体を枠組みする際にドア等の一部を構成するよう組み込まれる態様に好適である。
【０００２】
【従来の技術】
建具分野では、図９に例示される如く最終製品であるドア５０等の主枠体５１〜５５を枠組みする際、該ドア５０の一部を構成するよう額縁４５で縁取りされた装飾体４０が組み込まれることがある。この装飾体４０は、特殊材質の装飾パネル４１を額縁４５で縁取りしたものであり、ドア機能上、頑丈で比較的重い。また、額縁４５は、縦枠材４２及び横枠材４３がドア５０を構成する主枠材５１〜５５と同じ内部中空の剛材からなり、最大厚さ寸法が主枠材５１〜５５と同程度になっている。
【０００３】
以上の額縁４５の枠組みでは、図１０に例示したようなコーナー継ぎ手（特開平６−１５８９４１号）が用いられていた。図１０（ａ）はコーナ継ぎ手単品を示し、図１０（ｂ）は縦・横枠材４２，４３を連結した使用状態で示している。同図のコーナー継ぎ手６０は、ブロック状の第１挿入腕６１及び第２挿入腕６２を一体に形成している。両挿入腕６１，６２は、縦・横枠材４２，４３の内形状にほぼ対応しており、突当端面４２ａ，４３ａ側から枠内に嵌入される。また、両挿入腕６１，６２は、略中間に沿って設けられた断面半円弧状の溝６３に対応させてねじ用孔６４，６５を有し、止めねじＳ1，Ｓ2を縦・横枠材４３，４４の対応する取付孔４３ｂ，４４ｂから該孔６４，６５にそれぞれ螺入し縦・横枠材４２，４３に結合される。符号６６は両挿入腕６１，６２の外角部付近に設けられた弾性規制突起である。該規制突起６６は、突当端面４２ａ，４３ａに設けられた不図示の切欠部を通り、上記した主枠材５１〜５５の対応部に当接することにより、主枠材５１〜５５との間のがたつきを吸収する。
【０００４】
【発明が解決しようとする課題】
以上のような額縁用コーナー継ぎ手では、縦・横枠材４２，４３が複雑な意匠形状のものが多く、それらをがたつきなく、突当端面４２ａ，４３ａで見栄え良く一体化しなければならない。同時に、枠組み作業性に優れ、縦・横枠材４２，４３の表面を傷つけないことが重要となる。ところが、上記した従来構造では、止めねじＳ1，Ｓ2による固定作業に時間ががかり、また、固定作業等において縦・横枠材４２，４３同士を不用意に擦ったり、突当端面４２ａ，４３ａ同士が加工精度や誤差により密に接続されないことも起き、歩留まり低下の要因となる。
【０００５】
本発明は以上のような課題を解消することを目的としている。詳細には、設計固定強度を充足し縦・横枠材同士の固定作業性に優れ、同時に互いの突当端面同士を常に連続させて密に接続可能にし、それにより製造費の低減と高品質化とを実現することにある。他の目的は以下の内容説明の中で順次明らかにして行く。
【０００６】
【課題を解決するための手段】
上記目的を達成するため本発明は、図１から図９に例示される如く、額縁４５を構成する縦枠材４２及び横枠材４３が共に内部中空４６で両側の突当端面４２ａ，４３ａを持ち、該互いの突当端面４２ａ，４３ａ同士を密に接続する場合に用いられ、略ブロック状の第１挿入腕２及び第２挿入腕３を一体に有しており、前記縦・横枠材４２，４３の一方に第１挿入腕２を、他方に第２挿入腕３を前記対応する突当端面４２ａ，４３ａからそれぞれ内部に嵌入して縦・横枠材４２，４３同士を連結するコーナー継ぎ手１において、前記各挿入腕２，３は、略ブロック状の厚さ内を幅方向に貫通した欠肉部８と、前記欠肉部８側へ一段下がった段差板部１１に設けられ弾性係合部７とを有し、前記対応する突当端面４２ａ，４３ａから内部に嵌入されることにより、前記弾性係合部７が前記縦枠材４２又は横枠材４３に設けられた対応する係止穴４９と係合し、その係合状態で前記係止穴４９を形成している板部分の厚さ内にほぼ収まることを特徴としている。
以上の構造によれば、第１挿入腕２及び第２挿入腕３は、縦・横枠材４２，４３に対し対応する突当端面４２ａ，４３ａ側から内部にそれぞれ差込操作されるだけで、弾性係合片７が相手側の対応する係止穴４９と係合し該係合力で縦枠材４２と横枠材４３とを連結する。これは、第１挿入腕２及び第２挿入腕３が共に縦・横枠材４２，４３に対応したブロック状で、かつ、相手側の内部中空４６に嵌入される態様、つまりがたつきなく嵌入される形態を維持しながら、弾性係合部７と係止穴４９との係合構造を欠肉部８の存在により可能にし、これにより従来の連結操作性及び歩留まり低下の要因を解消したものである。なお、前記弾性係合部７は、前記欠肉部８側へ一段下がった段差板部１１に設けられて、前記係止穴４９との係合状態で前記係止穴４９を形成している板部分の厚さ内にほぼ収まる。これは、各挿入腕２，３が内部中空４６の縦・横枠材４２，４３内に嵌入された状態で設計抜け止め力を充足し、かつ弾性係合部７が縦・横枠材４２，４３から外へ突出しないよう工夫したものである。
【０００７】
以上の本発明は次のように具体化されることがより好ましい。
第１に、前記両挿入腕２，３の境界部に設けられて前記縦・横枠材４２，４３の各突当端面４２ａ，４３ａのほぼ全面に当接する薄肉鍔部４を有し、前記各突当端面４２ａ，４３ａが前記薄肉鍔部４を両側から挟持した状態で接続される構成である。この肉薄鍔部４は、突当端面４２ａ，４３同士の精度誤差等を吸収する作用と、該突当端面４２ａ，４３ａ同士が従来の如く直に当接し合うことに起因する擦り傷等の発生を防ぐ作用とを兼ね備え、突当端面４２ａ，４３ａ同士がより安定・確実に見栄え良く常に密に接続されるようにし、同時に歩留まり改善対策としても機能する。ここで、肉薄鍔部４の要件、つまり突当端面４２ａ，４３ａのほぼ全面に当接するとした理由は、成形型の制約等によって、突当端面４２ａ，４３ａと完全に一致させることが不可能か、合理的でないことを考慮したものである。目安は、突当端面４２ａ，４３ａの９０％以上が当接し、突当端面４２ａ，４３ａのうち少なくとも意匠面４５ａ側が全て当接することである。
第２に、前記係止穴４９は略矩形の開口であり、前記弾性係合部７は前記矩形の開口と対応した略コ形スリット１２にて前記段差板部１１に区画形成されている構成であ。これは、弾性係合部７が単純な係合突起と異なり、コ形スリット１２で区画形成されて、所定板幅を持ち、矩形係止穴４９との強い係合力を具備し易くなっていることを特定したものである。
第３に、前記弾性係合部７は、前記略コ形のスリット１２のうち、両側の水平スリット部１２ａに沿い、中間の垂直スリット部１２ｂ側へ次第に突出量を増している傾斜部７ａと、該傾斜部７ａの先端と前記垂直スリット部１２ｂとの間に一段低くした受け部７ｂとを有し、前記傾斜部７ａ先端と受け部７ｂとの間の端面７ｃを前記係止穴４９の対応する穴縁に係合する構成である。これは、傾斜部７ａ先端と受け部７ｂとの間の端面７ｃを係止穴４９に係合させると、受け部７ｂの先端つまり前記垂直スリット部１２ｂが係止穴４９からずれ縦・横枠材４２，４３の枠内に位置するようにして、係合状態の安定維持を図ることに意義がある。
第４に、前記額縁４５は、装飾パネル４１を縁取りするものであり、ドア５０等の建具に一体的に組み込まれる構成である。これは、本発明対象の額縁４５（横枠材４２，４３の態様）がドア５０等の建具として好適なことを特定したものである。
【０００８】
【発明の実施の形態】
以下、本発明の好適な形態を添付図面に基づいて説明する  図１乃至図７は本発明の形態例であるコーナー継ぎ手を示している。このうち、図１はコーナー継ぎ手を縦・横枠材と共に示す概略構成図、図２は図８のＡ−Ａ線矢視断面図である。図３は弾性係合部の構成を示し、同（ａ）は図８のＢ−Ｂ線方向から見た図、同（ｂ）は縦・横枠材側の該当部分を示す図である。図４は弾性係合部の係合状態を示し、同（ａ）は図３（ａ）のＣ−Ｃ線に沿う断面図、同（ｂ）は図６（ｂ）のＤ−Ｄ線矢視断面図である。図５（ａ），（ｂ）はコーナー継ぎ手の正面図と底面図である。図６（ａ），（ｂ）はコーナー継ぎ手の背面図と平面図である。図７（ａ），（ｂ）はコーナー継ぎ手の右側面と左側面図である。また、図８はコーナー継ぎ手を用いて枠組みした額縁を示す正面図、図９はその額縁を組み込んだドアを示す説明図である。
【０００９】
（額縁形態）図９のドア５０は、上述した如く剛材であるアルミ製からなり、主枠体５１〜５５を枠組みしたものである。その枠組み時には、予め形成された装飾体４０が主枠体５１〜５５に保持された状態で組み込まれている。装飾体４０は、装飾パネル４１を額縁４５で縁取りしたものである。装飾パネル４１は、例えば、厚ガラス材やホウロウ仕上げ材等である。額縁４５は、図８の如く対の縦枠材４２と対の横枠材４３とで矩形状に枠組みされているが、菱形や三角形等の他の形状に枠組みされることもある。縦・横枠材４２，４３は、通常、主枠材５１〜５５と同材質であり、押し出し成形品かプレス成形品である。外観的には、最大厚さ寸法が主枠材５１〜５５と同程度であり、図１の如く湾曲を一部に有する複雑な形状をなし、両端が突当端面４２ａ，４３ａに形成されている。この例では、各突当端面４２ａ，４３ａが共に約４５度のテーパー面として形成されている。表面には、主枠材５１〜５５と同じか類似する装飾及び錆防止用の表面処理等が施されている。
【００１０】
図８の額縁４５は、各縦枠材４２及び横枠材４３が形態例のコーナー継ぎ手１を用いて枠組みされている。また、この額縁４５は、意匠面側が図示されており、縦枠材４２及び横枠材４３が互いの突当端面４２ａ，４３ａを矩形角部に位置させた状態でコーナー継ぎ手１を介し連結され、両突当端面４２ａ，４３ａを後述する薄肉鍔部４を介在して一体に接続している。ここで、以上の縦枠材４２及び横枠材４３の形状を概説する。縦・横枠材４２，４３は断面が同形状であることから、図２の横枠材４３の方で説明すると、図面上、符号４５ａで示す側が意匠面となり、符号４５ｂで示す側が背面となり、符号４５ｃの側が前記した主枠材５１〜５５の対応部と接合される取付面となり、符号４５ｄで示す側が額内側の面となる。意匠面４５ａの内側には、内端を背面４５ｂに折り曲げた受け壁４５ｆと、受け壁４５ｆの上側に位置して背面４５ｂに接続した仕切壁４５ｅとを有している。そして、縦・横枠材４２，４３は、これらの意匠面４５ａの一部、背面４５ｂ、取付面４５ｃ、仕切壁４５ｅにより区画形成された内部中空４６となっている。また、取付面４５ｃには、２本のレール部４７が長手方向に並設されると共に、両レール部４７の間の板部分が内向き凸の半円状の溝部４８に形成されている。溝部４８には、図１や図３（ｂ）の如く係止穴４９が設けられている。この係止穴４９は、両側の各突当端面４２ａ又は４３ａに近い箇所にあって、内部中空４６に貫通された矩形の穴である。なお、この額縁１４５は、ドア５０に組み込まれる例であるが、ドア５０以外の建具、例えば、ビルの窓枠を縁取る額縁、出窓の開口を縁取る額縁などであってもよいことは勿論である。
【００１１】
（継ぎ手形態）このコーナー継ぎ手１は、樹脂の射出成形品であり、縦・横枠材４２，４３の一方の内部中空５６にそれぞれ挿入されるブロック状の第１挿入腕２及び第２挿入腕３を主体とし、両挿入腕２，３の境界に沿って設けられて縦・横枠材４２，４３の突当端面４２ａ，４３ａに当接する薄肉鍔部４と、両挿入腕２，３の外角部５に連結された弾性規制片６，６と、各挿入腕２，３の外面側に設けられた弾性係合部７，７とを有している。
【００１２】
両挿入腕３，４は同形状であり、ここでは第２挿入腕３の方で説明する。この挿入腕３は、外形状が上記した内部中空４６に略対応しており、内部中空４６内に嵌入される。厚さ内には欠肉部８が左右を貫通した状態で設けられ、前記弾性係合部７はその欠肉部８を利用して設けられている。即ち、前記取付面４５ｃと対向する外面９には、前記した溝部４８に対応した半円状の窪み部１０が設けられ、前記弾性規制片６が外角部５に基部を結合した状態で窪み部１０の両側に位置し、かつ該窪み部１０の方向に沿って対に配置されている。この弾性規制片６は、自由端側に規制突起６ａを有し、前記した取付面４５ｃに接合される主枠材５１〜５５の対応部を受け止めて間に生じ易いがたつきを吸収する。
【００１３】
欠肉部８は、挿入腕３の肉厚内にあって、図５（ａ）の意匠面側が最も大きな穴部８ａに、図６（ｂ）の背面側が次に大きな穴部８ｂに、穴部８ａ，８ｂの間つまり挿入腕３の中間に位置する穴部８ｃが最小穴として形成されている。欠肉部８と外面９との間の板部分には、欠肉部８側へ一段下がった段差板部１１が設けられている。この段差板部１１は、図３（ａ）と図６（ｂ）の如く窪み部１０の幅よりも若干広く、挿入腕３の突出端手前と弾性規制片６側との間に位置している。深さは、窪み部１０の最大凹部よりも少し欠肉部８側へ落ち込んだ段差となっている。また、段差板部１１は板厚を確保するため、段差板部１１の下面が欠肉部８側に少し張り出している。以上の段差板部１１には弾性係合部７が設けられている。この弾性係合部７は、段差板部１１に設けられたコ形のスリット１２により区画されて、該スリット１２のうち、両側の水平スリット部１２ａに沿い、中間の垂直スリット部１２ｂ側へ次第に突出量を増している対の傾斜部７ａに形成されている。また、弾性係合部７は、各傾斜部７ａの先端と垂直スリット部１２ｂとの間に一段低くした受け部７ｂを有し、傾斜部７ａ先端と受け部７ｂとの間の端面７ｃを上記した係止穴４９の穴縁に係合する係合面として形成している。なお、各傾斜部７ａは挿入腕３の外角部５に向けて次第に高さを増しており、受け部７ｂは図４（ａ）の如く係止穴４９からずれて取付面４５ｃの下面に接した状態で、係止穴４９に対する端面７ｃの係合状態を維持する。
【００１４】
薄肉鍔部４は、縦・横枠材４２，４３の各突当端面４２ａ，４３ａのほぼ全面に当接するよう、両挿入腕２，３のブロック状同士の中間周囲部分に設けられている。即ち、薄肉鍔部４は、突当端面４２ａ，４３ａのうち、図５〜図７において、意匠面４５ａ側に位置する鍔部分４ａと、背面４５ｂ側に位置する鍔部分４ｂと、両取付面４５ｃ側に位置する鍔部分４ｃと、額内面４５ｄ側に位置する縁部分４ｄとから構成されている。そして、薄肉鍔部４は突当端面４２ａ，４３ａのうち、図２の溝部分４８を形成している端面部分を除いて、両突当端面４２ａ，４３ａにより挟持されるようになっている。要は窪み部１０同士の角部だけが鍔部分を欠如している。なお、図５等の符号１３は図２の受け壁４５ｆと受け壁４５ｅとの間に配置される壁部分である。壁部分１３には中間に補強リブ１３ａが設けられている。壁部分１３の先端には前記した鍔部分４ｄが位置している。
【００１５】
（枠材同士の連結要領）次に、以上のコーナー継ぎ手１を用いて額縁４５を枠組み操作する場合の要領について概説する。形態例の額縁４５では、コーナー継ぎ手１が４個用いられる。縦・横枠材４２，４３は、例えば、図１の如く互いの意匠面４５ａが同じ側にくるように配される。作業者は、例えば、まず、第１挿入腕２を突当端面４２ａ側から縦枠材４２の内部中空４６に差込操作する。第１挿入部２は、その差込過程において、上述した弾性係合部７の傾斜部７ａが取付面４５ｃの下面に当たって弾性変形されつつ差し込まれる。そして、突当端面４２ａが肉薄鍔部４の対応する片面に当たる最終段階、つまり傾斜部７ａが係止穴４９に一致したとき元の状態に弾性復元され、同時に図４（ａ）の如く端面７ｃが係止穴４９の対応する穴縁に係合する。第１挿入部２は、この係合により縦枠材４２に抜け止めされて結合される。この状態において、突当端面４２ａは、溝部４８の突当端面部分を除いて上述の薄肉部分４で覆われている。その後は、第２挿入部３が同様な要領にして横枠材４３に対し結合される。また、額縁４５は、このような結合作業を残りの縦・横枠材４２，４３に対し行うことにより枠組みされる。該枠組みされた額縁４５は、縦・横枠材４２，４３が各内部中空４６に対するブロック状の挿入部２，３の嵌入と、各係止穴４９に対する弾性係合部７の係合により安定・確実に一体化されている。そして、外観上は、縦枠材４２及び横枠材４３の対応する突当端面４２ａ，４３ａ同士が間に薄肉鍔部４を介在した状態で密に連続しており、特有な高級感を発現している。また、このような連結構造では、挿入部２，３が内部中空４６へ安定して嵌入されること、肉薄鍔部４が突当端面４２ａや４２ａに当たって嵌入の最終段階を検出し易いこと、弾性係合部７が前記した嵌入最終段階で自動的に係合すること、等によってロボットによる自動枠組みも実現容易になる利点がある。なお、枠組みされた額縁４５は、仕切壁４５ｅと受け壁４５ｆとの間に装飾パネル４１がシール部材等を介し装着され、図９の装飾体４０に作製された状態から、上記した主枠材５１〜５５を枠組みする際に組み込まれてドア５０の一部を構成する。これらは従来と同様である。
【００１６】
【発明の効果】
以上説明したとおり、本発明の額縁用コーナー継ぎ手では、第１挿入腕及び第２挿入腕が共に縦・横枠材に対応したブロック状で、縦・横枠材内に嵌入される態様、要はがたつきなく嵌入される形態を維持しながら、弾性係合部と係止穴との係合により、縦・横枠材同士を効率よく連結でき、同時に突当端面同士を確実に連続させて密に接続でき、従来品に比べ連結操作性及び歩留まり低下の要因をなくして額縁の品質を向上できる。
【図面の簡単な説明】
【図１】  発明形態のコーナー継ぎ手を縦・横枠材と共に示す構成図である。
【図２】  図８のＡ−Ａ線矢視断面図である。
【図３】  図８のＢ−Ｂ線方向から見た図と縦・横枠材の単品図である。
【図４】  図３のＣ−Ｃ線断面図と図６のＤ−Ｄ線矢視断面図である。
【図５】  図１のコーナー継ぎ手の正面図と底面図である。
【図６】  図１のコーナー継ぎ手の背面図と平面図である。
【図７】  図１のコーナー継ぎ手の右側面と左側面図である。
【図８】  図１のコーナー継ぎ手により枠組みした額縁例を示す図である。
【図９】  一般的な建具であるドアを示す説明図である。
【図１０】  従来の額縁用コーナー継ぎ手及びその使用要部図である。
【符号の説明】
１…コーナー継ぎ手
２，３…第１，第２挿入腕
４…薄肉鍔部
７…弾性係合部（７ａは傾斜部、７ｂは受け部、７ｃは端面）
８…欠肉部
１１…段差板部
１２…コ形スリット（１２ａは水平スリット部、１２ｂは垂直スリット部）
４０…装飾体
４１…装飾パネル
４５…額縁
４２，４３…縦・横枠材（４２ａ，４３ａは突当端面）
４６…内部中空
４９…係止穴
５０…ドア（建具）
【図１】
0004620855.tif 000002
【図２】
0004620855.tif 000003
【図３】
0004620855.tif 000004
【図４】
0004620855.tif 000005
【図５】
0004620855.tif 000006
【図６】
0004620855.tif 000007
【図７】
0004620855.tif 000008
【図８】
0004620855.tif 000009
【図９】
0004620855.tif 000010
【図１０】
0004620855.tif 000011